(57)【要約】【課題】  折り畳み可能な電子機器に搭載することで比較的簡便なかつ低コストな構成で画像表示パネルと操作キーとを両方照明でき、薄型化及び軽量化が可能な導光板及びこれを備えた電子機器を提供すること。【解決手段】  液晶表示パネル１が設けられたパネル側筐体２と操作キー３を設けたキー側筐体４とをヒンジ部５で折り畳み可能に連結した電子機器に用いる導光板６であって、導光した光を光路変換して主面から面状に出射し、液晶表示パネル１を照明するパネル用導光部６ａと、導光した光を光路変換して主面から面状に出射し、操作キー３を照明するキー用導光部６ｂと、パネル用導光部６ａとキー用導光部６ｂとを連結して互いの間で光を導光可能でヒンジ部５に配される可撓性シート状の連結導光部６ｃと、を有している。【選択図】  図１
2009059543.tif 000002
【特許請求の範囲】
【請求項１】
画像表示パネルが設けられたパネル側筐体と操作キーを設けたキー側筐体とをヒンジ部で折り畳み可能に連結した電子機器に用いる導光板であって、
導光した光を光路変換して主面から面状に出射し、前記画像表示パネルを照明するパネル用導光部と、
導光した光を光路変換して主面から面状に出射し、前記操作キーを照明するキー用導光部と、
前記パネル用導光部と前記キー用導光部とを連結して互いの間で光を導光可能で前記ヒンジ部に配される可撓性シート状の連結導光部と、を有していることを特徴とする導光板。
【請求項２】
請求項１に記載の導光板において、
全体がフィルム状とされていることを特徴とする導光板。
【請求項３】
画像表示パネルが設けられたパネル側筐体と操作キーを設けたキー側筐体とをヒンジ部で折り畳み可能に連結した電子機器であって、
光源と、
該光源からの光を入射させて導光する請求項１又は２に記載の導光板と、を備えていることを特徴とする電子機器。
【請求項４】
請求項３に記載の電子機器において、
前記連結導光部の両面のうち少なくとも一面に、連結部用反射シートが配設されていることを特徴とする電子機器。
【請求項５】
請求項３又は４に記載の電子機器において、
前記光源が、前記パネル用導光部側に配置されていることを特徴とする電子機器。
【請求項６】
請求項３から５のいずれか一項に記載の電子機器において、
前記画像表示パネルが、液晶表示パネルであることを特徴とする電子機器。
【発明の詳細な説明】
【技術分野】
【０００１】
本発明は、折り畳み型携帯電話機などの液晶表示パネル及び操作キーを照明する面状光源に用いられる導光板及びこれを備えた電子機器に関する。
【背景技術】
【０００２】
携帯電話機、ＰＤＡ、モバイルタイプＰＣ（パーソナルコンピュータ）、ＡＴＭ（現金自動預け払い機）等の電子機器に用いられるディスプレイには、画像表示のための液晶表示装置が広く採用されている。この液晶表示装置には、液晶表示パネルの裏面側から光を照射して表示画面の輝度を高めるバックライトユニットが用いられている。このバックライトユニットには、蛍光管やＬＥＤ等の光源からの光を導光して主面全体から液晶表示パネルに向けて出射させる導光板が用いられている。また、これら携帯電話機等の電子機器には、操作キーが用いられており、暗所での操作をし易くするために、例えば操作キーを裏面側から光を照射して照明する操作キー用の光源が採用されている。
【０００３】
このように携帯電話機等では、液晶表示パネルの照明用と操作キーの照明用との両方に光源や照明ユニットを個別に搭載しなければならず、部品点数が多くなり、製造コストが増大したり、実装スペースの確保から小型化や薄型化を図り難い等の点がある。そこで、従来、例えば特許文献１には、液晶パネルを照明する第１の照明部分と操作キーを照明する第２の照明部分とからなる一つの薄板状の導光板を用いた電子機器の照明装置が提案されている。また、特許文献２には、液晶パネルに対する光源からの光の一部を液晶パネル用導光板の光放出部から外部に放出し、ヒンジ部に設けた受光部で光放出部からの光を受光すると共に、さらにキーボード側ケースに設けた導光板で受光した光を進行させる折り畳み型の情報端末が提案されている。
【０００４】
【特許文献１】特開２００１−３５８８１６号公報
【特許文献２】特開２００２−４９４３９号公報
【発明の開示】
【発明が解決しようとする課題】
【０００５】
しかしながら、上記従来の技術には、以下の課題が残されている。
上記特許文献１の技術では、薄板状の導光板を用いて液晶表示パネルと操作キーとを両方照明しているが、液晶表示パネル側の筐体と操作キー側の筐体とがヒンジ部で折り畳み可能とされた折り畳み型携帯電話機等に適用しようとすると、ヒンジ部で導光板が折れて破損してしまうためにそのまま採用することはできない。また、上記特許文献２では、液晶パネル側の導光板とキーボード側の導光板とを別々に備え、液晶パネル側の光放出部からの光をヒンジ部の受光部で受光してキーボード側ケースの導光板へ再び入射させることで、折り畳み型携帯電話機等に適用しているが、液晶パネル側とキーボード側とで２つの導光板を搭載しなければならないと共に、ヒンジ部に受光部を設けなければならず、部品点数及び製造コストの増大を招いてしまう。特に、ヒンジ部が受光部により複雑化すると共に、構造設計の自由度、薄型化及び軽量化が大きく制限されてしまう問題がある。
【０００６】
本発明は、前述の課題に鑑みてなされたもので、折り畳み可能な電子機器に搭載することで比較的簡便なかつ低コストな構成で画像表示パネルと操作キーとを両方照明でき、薄型化及び軽量化が可能な導光板及びこれを備えた電子機器を提供することを目的とする。
【課題を解決するための手段】
【０００７】
本発明は、前記課題を解決するために以下の構成を採用した。すなわち、本発明の導光板は、画像表示パネルが設けられたパネル側筐体と操作キーを設けたキー側筐体とをヒンジ部で折り畳み可能に連結した電子機器に用いる導光板であって、導光した光を光路変換して主面から面状に出射し、前記画像表示パネルを照明するパネル用導光部と、導光した光を光路変換して主面から面状に出射し、前記操作キーを照明するキー用導光部と、前記パネル用導光部と前記キー用導光部とを連結して互いの間で光を導光可能で前記ヒンジ部に配される可撓性シート状の連結導光部と、を有していることを特徴とする。
【０００８】
この導光板では、パネル用導光部とキー用導光部とを連結して互いの間で光を導光可能でヒンジ部に配される可撓性の連結導光部を有しているので、例えばパネル用導光部内を導光された光の一部を連結導光部を介してキー用導光部へと導光することで画像表示パネルと操作キーとの両方を同時照明することができる。また、連結導光部が可撓性を有して柔軟であるので、折り畳み動作時に可動するヒンジ部に内蔵しても破損せずに、たとえパネル側筐体とキー側筐体とが屈曲状態又は折り畳み状態であってもパネル用導光部とキー用導光部との間で導光を行うことが可能である。さらに、ヒンジ部には可撓性シート状の連結導光部を内蔵するだけでよく、比較的簡便な構成ですみ、構造設計の自由度が高くなると共に小型化及び薄型化を図ることができる。
【０００９】
また、本発明の導光板は、全体がフィルム状とされていることを特徴とする。すなわち、この導光板では、全体がフィルム状とされているので、全体が可撓性を有して屈曲及び湾曲変形可能であり、多様な形状及び形態の画像表示パネル及び操作キーに対応して実装可能であると共に、より薄型化及び軽量化が可能になる。
【００１０】
本発明の電子機器は、画像表示パネルが設けられたパネル側筐体と操作キーを設けたキー側筐体とをヒンジ部で折り畳み可能に連結した電子機器であって、光源と、該光源からの光を入射させて導光する上記本発明の導光板と、を備えていることを特徴とする。すなわち、この電子機器では、上記本発明の導光板を備えているので、折り畳み動作にかかわらず画像表示パネル及び操作キーの両方を一つの導光板で照明可能であると共に、薄型化及び軽量化を図ることが可能である。
【００１１】
また、本発明の電子機器は、前記連結導光部の両面のうち少なくとも一面に、連結部用反射シートが配設されていることを特徴とする。すなわち、この電子機器では、連結導光部の両面のうち少なくとも一面に連結部用反射シートが配設されているので、連結導光部から外部に漏れる一部の光を連結部用反射シートで反射して再び連結導光部へ戻すことで、さらに高い効率でパネル用導光部とキー用導光部との間で導光させることが可能になる。
【００１２】
また、本発明の電子機器は、前記光源が、前記パネル用導光部側に配置されていることを特徴とする。すなわち、この電子機器では、光源がパネル用導光部側に配置されているので、パネル用導光部側から光を入射して高い輝度が要求される画像表示パネルを最適に照明することができる。
【００１３】
また、本発明の電子機器は、前記画像表示パネルが、液晶表示パネルであることを特徴とする。すなわち、この電子機器では、液晶表示パネルを用いた液晶表示装置であるので、より薄型軽量化及び低コスト化を図ることができる。
【発明の効果】
【００１４】
本発明によれば、以下の効果を奏する。
すなわち、本発明に係る導光板によれば、パネル用導光部とキー用導光部とを連結して互いの間で光を導光可能でヒンジ部に配される可撓性の連結導光部を有しているので、折り畳み可動されても可撓性の連結導光部を介してパネル用導光部とキー用導光部との間で導光可能であり、画像表示パネルと操作キーとの両方を同時照明することができる。したがって、この導光板を備えた電子機器によれば、照明ユニットが比較的簡便な構成ですみ、構造設計の自由度が高くなると共に小型化及び薄型化を図ることができる。特に、薄型化及び軽量化が強く要望されている折り畳み型携帯電話機などに好適である。
【発明を実施するための最良の形態】
【００１５】
以下、本発明に係る導光板及び電子機器の第１実施形態を、図１及び図２に基づいて説明する。なお、以下の説明に用いる各図面では、各部材を認識可能な大きさとするために縮尺を適宜変更している。
【００１６】
本実施形態の電子機器は、図１に示すように、液晶表示パネル（画像表示パネル）１が設けられたパネル側筐体２と操作キー３を設けたキー側筐体４とをヒンジ部５で折り畳み可能に連結したいわゆるクラムシェルタイプの携帯電話機であって、ＬＥＤ光源（光源）Ｌと、該ＬＥＤ光源Ｌからの光を入射させて導光する導光板６と、該導光板６を用い液晶表示パネル１の裏面側に配されてこれを照明する液晶バックライトユニット７と、キー側筐体４に設けられ上記操作キー３を備えたスイッチモジュールであるキー部８と、を備えている。
【００１７】
この電子機器では、図１の（ａ）に示すように、開いた状態で、液晶表示パネル１と操作キー３とが同方向に向き、操作キー３を操作しつつ液晶表示パネル１を見ることができるようになると共に、図１の（ｂ）に示すように、閉じた状態で、液晶表示パネル１と操作キー３とが互いに対向して内側に隠された状態となる。
【００１８】
上記導光板６は、図１及び図２に示すように、液晶表示パネル１を照明するパネル用導光部６ａと、操作キーを照明するキー用導光部６ａと、パネル用導光部６ａとキー用導光部６ｂとを連結して互いの間で光を導光可能でヒンジ部５に配される可撓性シート状の連結導光部６ｃと、を有している。
【００１９】
また、この導光板６は、透光性の材料で構成されその側端部から入射されたＬＥＤ光源Ｌからの光を導光すると共に光路変換してその主面（本実施形態では上面）から照明対象物に対して面状の照明光を出射する可撓性を有した全体がフィルム状の導光板である。なお、この導光板６の厚さは、例えば１２５μｍ程度である。
さらに、この導光板６は、パネル用導光部６ａの表面に断面三角形状のプリズムや凸状ドット等の微細光学形状６ｄが形成されている。また、キー用導光部６ｂにも、白色印刷ドット等の微細光学形状６ｄが表面に形成されている。なお、連結導光部６ｃにも必要に応じて表面に微細光学形状６ｄを施しても構わない。
【００２０】
また、導光板６は、例えば基材層（図示略）と、該基材層の上下面に成膜され光路変換を行う複数の微細光学形状６ｄが表面に形成された樹脂層（図示略）と、で構成されている。
上記基材層及び樹脂層は、例えば透明なポリカーボネイト樹脂やアクリル樹脂等で形成されている。基材層は、例えばロール成形方法などを用いて平坦なシート状にシート成形されている。また、樹脂層は、型を使い紫外光（ＵＶ光）で硬化する例えばアクリル系、ウレタン系、ウレタンアクリレート系、エポキシアクリレート系などの有機光反応効果樹脂の光硬化樹脂を用いて微細光学形状６ｄを賦形する紫外線（ＵＶ）硬化樹脂成形によって作製されている。
なお、上記成形で大判に作製されたものを、プレス切断やカッター切断することで、所定の形状の導光板６を得ている。
【００２１】
上記液晶用バックライトユニット７は、ＬＥＤ光源（光源）Ｌと、該ＬＥＤ光源Ｌからの光を入射して導光する導光板６のパネル用導光部６ａと、該パネル用導光部６ａの上面に積層された拡散シート９、第１プリズムシート１０Ａ及び第２プリズムシート１０Ｂと、パネル用導光部６ａの下面に設置された反射シート１１と、を備えている。
【００２２】
上記拡散シート９は、例えば、アクリル樹脂やポリカーボネイト樹脂などの透明樹脂にシリカ粒子などを分散させたシートである。
【００２３】
上記第１プリズムシート１０Ａは、拡散シート９上に配され、上記第２プリズムシート１０Ｂは、第１プリズムシート１０Ａ上に配されている。第１プリズムシート１０Ａ及び第２プリズムシート１０Ｂは、拡散シート９からの光を上面側に集光するための透明シート状の部材であり、平行な複数の稜線を有するプリズム部を上面側に有している。また、第１プリズムシート１０Ａは、ＬＥＤ光源Ｌの光軸に対して、プリズム部の稜線がねじれの位置に設定され、特に、上方への高い指向性が得られる方向として、ＬＥＤ光源Ｌの光軸に直交する方向と平行に設定される。また、第２プリズムシート１０Ｂは、ＬＥＤ光源Ｌの光軸に対して、プリズム部の稜線が平行に設定されている。すなわち、第１プリズムシート１０Ａと第２プリズムシート１０Ｂとは、互いのプリズム部の稜線がねじれの位置に配され、平面視で互いに稜線が直交している。なお、拡散シート９、プリズムシート１０Ａ，１０Ｂは、必要に応じてキー用導光部６ｂに設けても構わない。この場合、別体でもパネル用導光部６ａに設けられた拡散シート９、プリズムシート１０Ａ，１０Ｂと一体化させても構わない。
【００２４】
上記ＬＥＤ光源Ｌは、導光板６のパネル用導光部６ａ側の端部に複数配置され、光源用の実装基板（図示略）に実装された白色ＬＥＤである。この白色ＬＥＤは、例えば基板上の半導体発光素子を樹脂材で封止したものであり、半導体発光素子として、例えば青色（波長λ：４７０〜４９０ｎｍ）ＬＥＤ素子又は紫外光（波長λ：４７０ｎｍ未満）ＬＥＤ素子であって、例えばサファイア基板などの絶縁性基板上に窒化ガリウム系化合物半導体（例えばＩｎＧａＮ系化合物半導体）の複数の半導体層が積層されて形成されたものである。
また、この半導体発光素子を封止する樹脂材は、シリコーン樹脂を主剤とし、例えばＹＡＧ蛍光体が添加されている。このＹＡＧ蛍光体は、半導体発光素子からの青色光又は紫外光を黄色光に変換させて混色効果により白色光を生じさせるものである。なお、白色ＬＥＤとしては、上記以外でも種々のものが採用可能である。
【００２５】
上記液晶表示パネル１は、透過型又は半透過型の液晶表示パネルが採用される。例えば、半透過型の液晶表示パネル１の場合、透明電極、配向膜及び偏光板をそれぞれ有する上基板と下基板との間隙にＴＮ液晶やＳＴＮ液晶等の液晶をシール材で封止したパネル本体と、その下面側に光透過性と光反射性の両機能を持った半透過反射板と、を備えたものである。
【００２６】
上記ヒンジ部５は、公知のヒンジ機構が採用され、パネル側筐体２とキー側筐体４とを完全に開いた１８０°状態から完全に閉じた折り畳み状態まで変形でき、さらにその途中形態の任意の角度で屈曲した状態も保持可能なものが好ましい。
上記連結導光部６ｃの液晶表示パネル１側の片面には、連結部用反射シート１２が配設されている。また、連結導光部６ｃのもう一方の片面には、反射シート１１がヒンジ部５まで延長された延長反射シート部１１ａが、連結部反射シートとして配されている。
上記反射シート１１及び連結部用反射シート１２は、光反射機能及び可撓性を有する金属薄板、フィルム、箔等であって、本実施形態では銀蒸着膜を設けたフィルムが採用されている。なお、上記銀蒸着膜の代わりに、アルミ金属蒸着膜などを採用しても構わない。
【００２７】
上記キー部８は、少なくとも一部が透過又は半透明の複数の操作キー３と、これら操作キー３の下部に設置され操作キー３に対応した凸部を下面に有するキーシート１３と、該キーシート１３の下方かつキー用導光部６ｂの下面に設置されたスイッチング機構１４と、を有している。
【００２８】
上記操作キー３は、透過又は半透明の樹脂で形成されたキーであって、電話番号等を入力するための番号や文字が表示され、複数でキートップ１５を構成している。
上記スイッチング機構１４は、例えば操作キー３及びキー用導光部６ｂの下方に配されたスイッチ基板１６と、この上に設置されたタクトスイッチ１７とで構成され、操作キー３が押圧された際にキーシート１３の凸部及び可撓性のキー用導光部６ｂを介して対応するタクトスイッチ１７が押されてスイッチ操作可能とされている。
【００２９】
このように本実施形態の導光板６では、パネル用導光部６ａとキー用導光部６ｂとを連結して互いの間で光を導光可能でヒンジ部５に配される可撓性の連結導光部６ｃを有しているので、パネル用導光部６ａ内を導光された光の一部を連結導光部６ｃを介してキー用導光部６ｂへと導光することで液晶表示パネル１と操作キー３との両方を同時照明することができる。また、連結導光部６ｃが可撓性を有して柔軟であるので、折り畳み動作時に可動するヒンジ部５に内蔵しても破損せずに、たとえパネル側筐体２とキー側筐体４とが屈曲状態又は折り畳み状態であってもパネル用導光部６ａとキー用導光部６ｂとの間で導光を行うことが可能である。
【００３０】
さらに、ヒンジ部５には可撓性シート状の連結導光部６ｃを内蔵するだけでよく、比較的簡便な構成ですみ、構造設計の自由度が高くなると共に小型化及び薄型化を図ることができる。
また、全体がフィルム状の導光板６であるので、全体が可撓性を有して屈曲及び湾曲変形可能であり、多様な形状及び形態の液晶表示パネル１及び操作キー３にも対応して実装可能であると共に、より薄型化及び軽量化が可能になる。
【００３１】
さらに、この導光板６を採用した電子機器では、連結導光部６ｃの両面に連結部用反射シート１２及び延長反射シート部１１ａが配設されているので、連結導光部６ｃから外部に漏れる一部の光を連結部用反射シート１２及び延長反射シート部１１ａで反射して再び連結導光部６ｃへ戻すことで、さらに高い効率でパネル用導光部６ａとキー用導光部６ｂとの間で導光させることが可能になる。
また、この電子機器では、ＬＥＤ光源Ｌがパネル用導光部６ａ側に配置されているので、パネル用導光部６ａ側から光を入射して高い輝度が要求される液晶表示パネル１を最適に照明することができる。
【００３２】
したがって、この電子機器では、折り畳み動作にかかわらず液晶表示パネル１及び操作キー３の両方を一つの導光板６で照明可能であると共に、薄型化及び軽量化を図ることが可能である。
【００３３】
次に、本発明に係る導光板及び電子機器の第２及び第３実施形態について、図３及び図４を参照して以下に説明する。なお、以下の各実施形態の説明において、上記実施形態において説明した同一の構成要素には同一の符号を付し、その説明は省略する。
【００３４】
第２実施形態と第１実施形態との異なる点は、第１実施形態では、直方体形状のパネル側筐体２及びキー側筐体４をヒンジ部５を介して折り畳んでいるのに対し、第２実施形態の電子機器では、図３に示すように、断面円弧状に湾曲したパネル側筐体２２及びキー側筐体２４をヒンジ部２５を介して折り畳んでいる点である。すなわち、第２実施形態の電子機器は、開いた状態では全体が断面Ｓ字状とされた携帯電話機であって、閉じた状態では全体が断面円弧状となる。
【００３５】
なお、導光板６は、全体がフィルム状であって可撓性を有しているので、このような湾曲形状のパネル側筐体２２及びキー側筐体２４であってもその形状に沿って湾曲状態に設置することが可能である。また、この第２実施形態でも、連結導光部６ｃが可撓性を有しているので、開閉状態にかかわらず、パネル用導光部６ａとキー用導光部６ｂとが導光可能に連結されている。
【００３６】
第３実施形態と第１実施形態との異なる点は、第１実施形態では、開いた際に直線状となるようにヒンジ部５でパネル側筐体２及びキー側筐体４を連結しているのに対し、第３実施形態の電子機器では、図４に示すように、直方体形状のパネル側筐体３２及びキー側筐体３４を段差状のヒンジ部３５を介して折り畳み可能としている点である。すなわち、第３実施形態の電子機器は、開いた状態でヒンジ部３５が断面クランク状に屈曲する携帯電話機であって、内部のフィルム状導光板６も連結導光部６ｃが屈曲して設置されている。したがって、開いた状態では、フィルム状導光板６が断面クランク状に屈曲し、閉じた状態では、フィルム状導光板６が断面コ字状に屈曲する。この第３実施形態でも、連結導光部６ｃが可撓性を有しているので、開閉状態にかかわらず、パネル用導光部６ａとキー用導光部６ｂとが導光可能に連結されている。
【００３７】
なお、本発明は上記各実施形態に限定されるものではなく、本発明の趣旨を逸脱しない範囲において種々の変更を加えることができる。
【００３８】
例えば、上記各実施形態では、上述したように、ＬＥＤ光源Ｌがパネル用導光部６ａ側に配置されていることが好ましいが、操作キー３側の輝度を高めるためにキー用導光部６ｂ側にＬＥＤ光源Ｌを配置しても構わず、またパネル用導光部６ａ側及びキー用導光部６ｂ側の両方に配置しても構わない。
また、上述したように、連結部用反射シート１２及び延長反射シート部１１ａにより、連結導光部６ｃの両面に反射シートを設置することが好ましいが、いずれか一方の面に配置しても導光効率の向上効果を得ることができる。なお、十分な導光性が得られれば、連結部用反射シート１２及び延長反射シート部１１ａの両方を設けなくてもよい。
【００３９】
また、導光板６は、上述したように、全体がフィルム状とされたものが好ましいが、薄板状のパネル用導光部６ａと薄板状のキー用導光部６ｂとをフィルム状の連結導光部６ｃで連結して一体にしたものでも構わない。
【００４０】
また、上記各実施形態では、拡散シート９を用いているが、拡散シート９を省略したバックライトユニットとしても構わない。また、２枚のプリズムシートを用いているが、１枚のプリズムシートを採用したバックライトユニットとしても構わない。
また、上記実施形態では、本発明を携帯電話機に適用したが、他の電子機器に採用しても構わない。例えば、ＰＤＡ、モバイルタイプＰＣ（パーソナルコンピュータ）等の各種電子機器に適用可能である。
【００４１】
また、上記各実施形態では、画像表示パネルとして液晶表示パネル１を採用しているが、他の画像表示パネルを用いても構わない。例えば、電子ペーパーなどの画像表示パネルを採用しても良い。この場合、電子ペーパー本体の表面側にフロントライトユニットの一部として本発明の導光板におけるパネル用導光部が設置される。
【図面の簡単な説明】
【００４２】
【図１】本発明に係る導光板及び電子機器の第１実施形態において、携帯電話機（電子機器）を示す開いた状態及び閉じた状態での概略的な断面図である。
【図２】第１実施形態において、導光板を示す斜視図及び側面図である。
【図３】本発明に係る導光板及び電子機器の第２実施形態において、携帯電話機（電子機器）を示す開いた状態及び閉じた状態での概略的な断面図である。
【図４】本発明に係る導光板及び電子機器の第３実施形態において、携帯電話機（電子機器）を示す開いた状態及び閉じた状態での概略的な断面図である。
【符号の説明】
【００４３】
１…液晶表示パネル（画像表示パネル）、２，２２，３２…パネル側筐体、３…操作キー、４，２４，３４…キー側筐体、５，２５，３５…ヒンジ部、６…導光板、６ａ…パネル用導光部、６ｂ…キー用導光部、６ｃ…連結導光部、７…液晶バックライトユニット、８…キー部、９…拡散シート、１０Ａ…第１プリズムシート、１０Ｂ…第２プリズムシート、１１…反射シート、１１ａ…延長反射シート部、１２…連結部用反射シート、１４…スイッチング機構、１７…タクトスイッチ、Ｌ…ＬＥＤ光源（光源）
【図１】
2009059543.tif 000003
【図２】
2009059543.tif 000004
【図３】
2009059543.tif 000005
【図４】
2009059543.tif 000006